(57)【要約】【課題】冷蔵室内温度帯の温かい食品を迅速に冷却する専用スペースを冷蔵室内に設け、専用の吹き出し口から冷気を直接温かい食品に当てることにより、他の食品に悪影響を及ぼすことなく、消費電力の削減にも寄与できるようにした冷蔵庫を提供する。【解決手段】天井カバー１９の冷気吹出口１７よりも奥側寄りに冷気通路１８の途中から冷気を供給できる開閉可能な開口部１９ａを設け、同開口部１９ａにシャッタ２７を配設し、同シャッタ２７を開放することにより庫内へ冷気を吹出す急冷用吹出口２８を設け、シャッタ２７を開くと連動して可動するガイド板３０を設け、同ガイド板３０により急冷用吹出口２８を経て庫内へ冷気を案内し、また、棚板２５には、最上段の棚板２５の前部を上方へ折り曲げ可能に形成した遮蔽部２５ａを設け、冷気を冷気戻り口１６ｂへ戻るようにしている。【選択図】  図２
2004271054.tif 000002
【特許請求の範囲】
【請求項１】
外箱と内箱間に断熱材を充填してなる断熱箱体の内部を複数の断熱仕切体によって上部の複数の貯蔵室と下部の冷凍室とに区画し、上部の前記貯蔵室の後方に、同上部貯蔵室用の冷気を生成する冷却器と、生成した冷気を強制循環する送風機を設け、前記冷却器の前方に仕切板を設けて冷気生成室を形成するとともに、前記内箱の天井に、少なくとも前方に冷気吹出口を有する天井カバーを被せ、前記内箱と前記天井カバーおよび庫内背面の前記仕切板との間に、前記冷気生成室と連通する冷気通路を形成し、前記上部貯蔵室の内部に、上下方向に間隔をあけて複数の棚板を備える一方、前記冷却器で生成した冷気を前記送風機により供給してなる冷蔵庫において、
前記天井カバーに少なくとも一つ以上の開閉可能な開口部を設け、同開口部を開放することにより庫内へ冷気を吹き出す吹出口を設けてなることを特徴とする冷蔵庫。
【請求項２】
前記開口部の前方辺から前記冷気通路側に向かって開閉するガイド板を設け、同ガイド板により前記吹出口を経て庫内へ冷気を案内するようにしてなることを特徴とする請求項１記載の冷蔵庫。
【請求項３】
最上段の前記棚板の前部を上方へ折り曲げ可能に形成し、最上段の前記棚板と前記天井カバーとの間を遮蔽する遮蔽部を前記棚板に設けてなることを特徴とする請求項１または２記載の冷蔵庫。
【請求項４】
前記開口部の両側にレールを設け、同レールにシャッタを配置し、同シャッタをスライド可能にしてなることを特徴とする請求項１記載の冷蔵庫。
【請求項５】
前記シャッタに把手部を設け、同把手部を収納食品により押し当てることにより前記シャッタを開き、収納食品を除くことにより前記シャッタが閉じるように形成してなることを特徴とする請求項４記載の冷蔵庫。
【請求項６】
前記シャッタを手動で開き、開いた状態を保持する凸部を前記シャッタに設け、同凸部を前記天井カバーと前記レール上部との間に押し込むようにして、前記シャッタを手動で開閉できるように形成してなることを特徴とする請求項４記載の冷蔵庫。
【発明の詳細な説明】
【０００１】
【発明の属する技術分野】
本発明は冷蔵庫に係わり、詳しくは、迅速に冷却したい冷蔵室内の収納食品へ冷気を供給するための構造に関するものである。
【０００２】
【従来の技術】
冷蔵庫には、例えば図１に示すように（例えば、特許文献１参照）、外箱２と内箱３間に断熱材４を充填してなる断熱箱体１の内部を断熱仕切体５、６によって上部の冷蔵室７と中央の野菜室８と下部の冷凍室９とに区画し、前記冷蔵室７の後方に、同冷蔵室７と前記野菜室８用の冷気を生成する冷却器１３と、生成した冷気を強制循環する送風機２０を設け、前記冷却器１３の前方に仕切板１４を設けて冷気生成室１５を形成すると共に、前記野菜室８内の冷気を前記冷気生成室１５に戻す冷気戻り口１６ｂを形成したカバー１６ａを有する冷気戻し通路１６を形成している。
【０００３】
その一方、前記内箱３の天井に、少なくとも前方左右方向に冷気吹出口１７を有する天井カバー１９を被せ、前記内箱３と前記天井カバー１９および前記冷蔵室７内背面の前記仕切板１４との間に、前記冷気生成室１５と連通する冷気通路１８を形成し、前記冷蔵室７に満遍なく冷気を供給するようにしたものがある。
【０００４】
前記冷却器１３で生成した冷気が前記送風機２０により、前記天井に設けられた前記冷気吹出口１７から前記冷蔵室７内に供給され、同冷蔵室７内背面に設けられた前記冷気戻り口１６ｂから前記冷気戻し通路１６に戻され、戻ってきた冷気は前記冷却器１３の下部に戻すようになっている。
【０００５】
前記冷蔵室７内に、上下方向に間隔をあけて、食品等を載置する複数の棚板２５が備えられている。また、前記冷蔵室７の開口面に、同冷蔵室７を密閉する開閉扉１０を配設しており、同開閉扉１０に、複数の食品を収納するドアポケット２６を配置している。
【０００６】
また、前記冷凍室９の後方に同冷凍室９専用の冷却器２１と冷気強制循環用の送風機２２を配置し、その前方に冷気吹出口等を有する前面カバー２３を設けた構成になっている。なお、符号２４は圧縮機、１１は野菜室８の扉、１２は冷凍室９の扉である。
【０００７】
しかしながら、前記冷蔵室７の温度帯において、温かい食品を急いで冷やす必要が生じた場合、前記冷蔵室７内に温かい食品を収納すると、冷却時間がかかり、近傍の他の食品に悪影響を及ぼすことになる恐れや、消費電力が多くかかり省エネルギ的に不利になってしまう恐れのある問題を有していた。
【０００８】
【特許文献１】
特開２００２−９８４６１号公報（第５ー７頁、第１図）
【０００９】
【発明が解決しようとする課題】
本発明においては、上記の問題点に鑑み、冷蔵室内温度帯の温かい食品を迅速に冷却する専用スペースを冷蔵室内に設け、専用の吹き出し口から冷気を直接温かい食品に当てることにより、他の食品に悪影響を及ぼすことなく、消費電力の削減にも寄与できるようにした冷蔵庫を提供することを目的としている。
【００１０】
【課題を解決するための手段】
本発明は、上記問題点を解決するため、外箱と内箱間に断熱材を充填してなる断熱箱体の内部を複数の断熱仕切体によって上部の複数の貯蔵室と下部の冷凍室とに区画し、上部の前記貯蔵室の後方に、同上部貯蔵室用の冷気を生成する冷却器と、生成した冷気を強制循環する送風機を設け、前記冷却器の前方に仕切板を設けて冷気生成室を形成するとともに、前記内箱の天井に、少なくとも前方に冷気吹出口を有する天井カバーを被せ、前記内箱と前記天井カバーおよび庫内背面の前記仕切板との間に、前記冷気生成室と連通する冷気通路を形成し、前記上部貯蔵室の内部に、上下方向に間隔をあけて複数の棚板を備える一方、前記冷却器で生成した冷気を前記送風機により供給してなる冷蔵庫において、
前記天井カバーに少なくとも一つ以上の開閉可能な開口部を設け、同開口部を開放することにより庫内へ冷気を吹き出す吹出口を設けた構成となっている。
【００１１】
前記開口部の前方辺から前記冷気通路側に向かって開閉するガイド板を設け、同ガイド板により前記吹出口を経て庫内へ冷気を案内するようにした構成となっている。
【００１２】
最上段の前記棚板の前部を上方へ折り曲げ可能に形成し、最上段の前記棚板と前記天井カバーとの間を遮蔽する遮蔽部を前記棚板に設けた構成となっている。
【００１３】
前記開口部の両側にレールを設け、同レールにシャッタを配置し、同シャッタをスライド可能にした構成となっている。
【００１４】
前記シャッタに把手部を設け、同把手部を収納食品により押し当てることにより前記シャッタを開き、収納食品を除くことにより前記シャッタが閉じるように形成した構成となっている。
【００１５】
前記シャッタを手動で開き、開いた状態を保持する凸部を前記シャッタに設け、同凸部を前記天井カバーと前記レール上部との間に押し込むようにして、前記シャッタを手動で開閉できるように形成した構成となっている。
【００１６】
【発明の実施の形態】
以下、本発明の実施の形態を、添付図面に基づいた実施例として説明する。
図１は本発明による冷蔵庫の形態を示す側断面図であり、図２は本発明による実施例の要部拡大側断面図（Ａ）と、急冷用吹出口のシャッタの形態を示す要部拡大側断面図（Ｂ）であり、図３は本発明による一実施例のシャッタの形態を示す斜視図であり、図４本発明による他の実施例のシャッタの形態を示す側断面図である。
なお、従来と同じ部分の符号は同一とする。
【００１７】
図において、１は鋼板製の外箱２と、合成樹脂製の内箱３と、発泡断熱材４等からなる断熱箱体（冷蔵庫本体ともいう）で、その内部は断熱仕切体５、６によって、上部の冷蔵室７と、中央の野菜室８と、下部の冷凍室９とに区画形成されている。
【００１８】
前記冷蔵室７の後方には、同冷蔵室７と前記野菜室８用の冷気を生成する冷却器１３と、生成した冷気を強制循環する送風機２０を設け、前記冷却器１３の前方に仕切板１４を設けて冷気生成室１５を形成するとともに、前記野菜室８内の冷気を前記冷気生成室１５に戻す冷気戻り口１６ｂを形成したカバー１６ａを有する冷気戻し通路１６を形成している。
【００１９】
その一方、前記内箱３の天井に、少なくとも前方左右方向に冷気吹出口１７を有する天井カバー１９を被せ、前記内箱３と前記天井カバー１９および前記冷蔵室７内背面の前記仕切板１４との間に、前記冷気生成室１５と連通する冷気通路１８を形成し、前記冷蔵室７に満遍なく冷気を供給するようにしたものがある。
【００２０】
前記冷蔵室７内に、上下方向に間隔をあけて、食品等を載置する複数の棚板２５が備えられている。また、前記冷蔵室７の開口面に、同冷蔵室７を密閉する開閉扉１０を配設しており、同開閉扉１０に、複数の食品を収納するドアポケット２６を配置している。
【００２１】
また、前記冷凍室９の後方に同冷凍室９専用の冷却器２１と冷気強制循環用の送風機２２を配置し、その前方に冷気吹出口等を有する前面カバー２３を設けた構成になっている。なお、符号２４は圧縮機、１１は野菜室８の扉、１２は冷凍室９の扉である。
【００２２】
次に、前記冷気生成室１５内に配置されている前記冷却器１３について説明する。前記冷却器１３によって生成された冷気は前記送風機２０の動作に伴って前記冷気通路１８内を前進し、前方の前記冷気吹出口１７から前記冷蔵室７に送出された後、同冷蔵室７内背面に設けられた前記冷気戻り口１６ｂから前記冷気戻し通路１６に戻され、戻ってきた冷気は前記冷却器１３の下部に戻すようになっている。
【００２３】
本発明を図２で示すように、前記天井カバー１９の前記冷気吹出口１７よりも奥側寄りに前記冷気通路１８の途中から冷気を供給できる開閉可能な開口部１９ａを設け、同開口部１９ａにシャッタ２７を配設し、同シャッタ２７を開放することにより庫内へ冷気を吹き出す急冷用吹出口２８を設けている。なお、前記急冷用吹出口２８を、複数設けてもよい。
【００２４】
また、前記シャッタ２７を開くと連動して可動する前記開口部１９ａの前方辺から前記冷気通路１８側に向かって開閉するガイド板３０を設け、同ガイド板３０により前記急冷用吹出口２８を経て庫内へ冷気を案内するようにしており、前記急冷用吹出口２８から吹き出される冷気は前記冷蔵室７内で一番低い温度の冷気であり、急いで冷やす必要が生じた温かい食品（例えば、ビール缶等）を最上段の前記棚板２５に収納して冷やすことができる。
【００２５】
更に、最上段の前記棚板２５には前記棚板２５の前部を上方へ折り曲げ可能に形成した遮蔽部２５ａを設け、同遮蔽部２５ａにより最上段の前記棚板２５と前記天井カバー１９との間を遮蔽し、前記急冷用吹出口２８から吹き出された冷気を、前記冷蔵室７内背面に設けられた前記冷気戻り口１６ｂから前記冷気戻し通路１６に戻すようにして、他の食品に影響を当たることを防いでいる。
【００２６】
前記冷気通路１８の途中から冷気を供給できる前記急冷用吹出口２８を設けたことにより、急いで冷やす必要が生じた温かい食品（例えば、ビール缶等）を、前記急冷用吹出口２８から吹き出される冷気により、直接食品に当てて素早く冷却することができるようになり、前記冷蔵室７内に温かい食品を収納しても、素早く冷却できるので、近傍の他の食品に悪影響を及ぼすこともなくなる。
【００２７】
前記シャッタ２７の構成を図３の一実施例で示す。前記冷気通路１８内の前記天井カバー１９に前記シャッタ２７を設けた例で、図３は前記冷気通路１８内から前記シャッタを見た斜視図で（ガイド板は図示せず）、（Ａ）は前記シャッタを閉じている時の図であり、（Ｂ）は前記シャッタを開いた時の図である。前記冷気通路１８の途中から冷気を供給できる前記天井カバー１９の開口部１９ａの前記冷気通路１８内側の両側に、前記シャッタ２７の両端をスライド可能に保持するＬ字状のレール２９を左右対称に設け、同レール２９に前記シャッタ２７を配置している。
【００２８】
また、前記シャッタ２７に把手部２７ａを設け、同把手部２７ａを収納食品（例えば、ビール缶等）の頭部を前記把手部２７ａに押し当てることにより前記シャッタ２７を開き、収納食品を除くことにより前記シャッタ２７が閉じるように、前記シャッタ２７の開閉に、バネ２７ｂを用いて開閉自在に形成している。
【００２９】
なお、前記冷蔵室７内の最上段の前記棚板２５と前記シャッタ２７の間隔は、前記棚板２５に収納食品（例えば、ビール缶等）を置いたときに、収納食品（例えば、ビール缶等）の頭部が前記把手部２７ａと接触する寸法とする。
【００３０】
前記シャッタ２７の開閉にバネ２７ｂを用いて、前記シャッタ２７を開閉することにより、収納食品（例えば、ビール缶等）の出し入れのみで、前記シャッタの開閉ができ、使用時の利便性がよい。
【００３１】
前記シャッタ２７の他の実施例を図４で示す。図４（Ａ）は前記シャッタを閉じている時の側断面図、（Ｂ）、（Ｃ）および（Ｄ）は前記シャッタを開いた時の側断面図および要部拡大側断面図であり、前記シャッタ２７を手動で開き、開いた状態を保持する半円錐または半三角錐形状の凸部２７ｃを前記シャッタ２７の把手部２７ａの外側付け根部に複数設け、同凸部２７ｃを前記天井カバー１９と前記レール２９上部との間に軽く押し込むようにして、前記シャッタを開いたままに保持し、前記シャッタを閉じる時は前記把手部２７ａを軽く引くことにより閉じることができ、前記シャッタ２７を手動で開閉できるように形成したものである。
【００３２】
また、前記シャッタ２７を開くと連動して前記開口部１９ａの前方辺から前記冷気通路１８側に向かって前記ガイド板が開き、同ガイド板３０により前記急冷用吹出口２８を経て庫内へ冷気を案内するようにしており（一実施例の場合も記述してないが同様である）、収納食品がビール缶等でない場合にも、他の食品を急いで冷却できるようにしている。
【００３３】
上記構成により、前記冷蔵室７の天井に設けられている前記冷気通路１８の途中から冷気を供給できる前記急冷用吹出口２８を設けたことにより、前記冷蔵室７の温度帯において、温かい食品を急いで冷やす必要が生じた場合、前記冷蔵室７内に温かい食品を前記急冷用吹出口２８から吹き出される冷気により、直接食品に当てて素早く冷却することができるようになり、消費電力が多くかかり省エネルギ的に不利になってしまう恐れのある問題をなくすことができる。
【００３４】
【発明の効果】
以上説明したように、本発明によれば、冷蔵室内温度帯の温かい食品を迅速に冷却する専用スペースを冷蔵室内に設け、専用の吹き出し口から冷気を直接温かい食品に当てることにより、他の食品に悪影響を及ぼすことなく、消費電力の削減にも寄与できるようにした冷蔵庫となる。
【図面の簡単な説明】
【図１】本発明および従来例による冷蔵庫の形態を示す側断面図である。
【図２】本発明による実施例の要部拡大側断面図（Ａ）と、急冷用吹出口のシャッタの形態を示す要部拡大側断面図（Ｂ）である。
【図３】本発明による一実施例のシャッタの形態を示す斜視図である。
【図４】本発明による他の実施例のシャッタの形態を示す側断面図である。
【符号の説明】
１  断熱箱体（冷蔵庫本体）
２  外箱
３  内箱
４  断熱材
５、６  断熱仕切体
７  冷蔵室
８  野菜室
９  冷凍室
１０  冷蔵室扉
１１  野菜室扉
１２  冷凍室扉
１３  冷却器
１４  仕切板
１５  冷気生成室
１６  冷気戻し通路
１６ａ  カバー
１６ｂ  冷気戻り口
１７  冷気吹出口
１８  冷気通路
１９  天井カバー
２０  送風機
２１  冷却器
２２  送風機
２３  前面カバー
２４  圧縮機
２５  棚板
２６  ドアポケット
２７  シャッタ
２８  急冷用吹出口
２９    レール
３０    ガイド板
【図１】
2004271054.tif 000003
【図２】
2004271054.tif 000004
【図３】
2004271054.tif 000005
【図４】
2004271054.tif 000006